(57)【要約】【課題】周辺セルとの間で無線リソースが分割利用されるエッジ領域における、基地局装置から移動局装置へのデータ伝送のスループットを向上する。【解決手段】第１基地局装置ＢＳ１は、第１基地局装置ＢＳ１にカバーされる第１セルＣ１とＣ１に隣接する第２セルＣ２との間で無線リソースが分割利用されるエッジ領域に位置する移動局装置を特定する移動局特定部２５と、移動局装置２５をコアネットワークＣＮへ接続するために要する接続制御情報を、Ｃ２をカバーする第２基地局装置ＢＳ２へ通知する制御情報通知部２６と、第２基地局装置ＢＳ２から移動局装置へのデータ送信のための無線リソース情報を受信する第１情報受信部２７と、第１及び第２基地局装置ＢＳ１、ＢＳ２から移動局装置へのデータ送信のための無線リソース情報を移動局装置へ通知する第１情報通知部２４と、を備える。【選択図】図３
2011049987.tif 000002
【特許請求の範囲】
【請求項１】
第１基地局装置にカバーされる第１セルと該第１セルに隣接する第２セルとの間で無線リソースが分割利用されるエッジ領域に位置する移動局装置を特定する移動局特定部と、
前記移動局装置をコアネットワークへ接続するために前記第１基地局装置に保持される所定の接続制御情報を、前記第２セルをカバーする第２基地局装置へ通知する制御情報通知部と、
前記第２基地局装置から前記移動局装置へユーザデータを送信するために割り当てられた無線リソース情報を前記第２基地局装置から受信する第１情報受信部と、
前記第１基地局装置から前記移動局装置へユーザデータを送信するために割り当てられた無線リソース情報、及び前記第２基地局装置から受信した無線リソース情報を前記移動局装置へ通知する第１情報通知部と、
を備える、前記第１基地局装置としての基地局装置。
【請求項２】
前記第１基地局装置と前記移動局装置との間の通信品質と、前記第２基地局装置と前記移動局装置との間の通信品質との差が所定の第１閾値以下であるか否かに応じて、前記第２基地局装置から前記移動局装置へユーザデータを送信するか否かを判定する第１判定部と、
前記第１判定部の判定結果に従って、前記移動局装置へユーザデータを送信することを前記第２基地局装置へ要求する要求部と、
を備える請求項１に記載の基地局装置。
【請求項３】
前記移動局装置へ送信される下りリンクのユーザデータが、複数のサービスクラスに属するデータを含むか否かを判定する第２判定部と、
前記下りリンクのユーザデータが複数のサービスクラスに属するデータを含むとき、前記第２基地局装置から送信するユーザデータのサービスクラスとして、前記第１基地局装置から送信するユーザデータのサービスクラスと異なるサービスクラスを割り当てるサービスクラス割当部と、
を備える請求項１又は２に記載の基地局装置。
【請求項４】
請求項１〜３のいずれか一項に記載の基地局装置としての前記第１基地局装置によりカバーされる前記第１セルに隣接する前記第２セルをカバーする前記第２基地局装置としての基地局装置であって、
前記所定の接続制御情報を受信する制御情報受信部と、
前記所定の接続制御情報によって前記移動局装置を前記コアネットワークへ接続することにより取得されるユーザデータを前記移動局装置へ送信する無線リソースを決定するスケジューラと、
前記スケジューラにより割り当てられた無線リソース情報を前記第１基地局装置へ送信する情報送信部と、を備える基地局装置。
【請求項５】
前記第１基地局装置から前記移動局装置へユーザデータを送信する無線リソース情報を前記第１基地局装置から受信する第２情報受信部と、
前記第１基地局装置から受信した無線リソース情報、及び前記第２基地局装置から前記移動局装置へユーザデータを送信する無線リソース情報を、前記移動局装置へ通知する第２情報通知部と、
を備える請求項４に記載の基地局装置。
【請求項６】
第１基地局装置にカバーされる第１セルと該第１セルに隣接する第２セルとの間で無線リソースが分割利用されるエッジ領域に位置する移動局装置を特定し、
前記移動局装置をコアネットワークへ接続するために前記第１基地局装置に保持される所定の接続制御情報を、前記第１基地局装置から、前記第２セルをカバーする第２基地局装置へ通知し、
前記第２基地局装置から前記移動局装置へユーザデータを送信するために割り当てられた無線リソース情報を、前記第２基地局装置から前記第１基地局装置へ送信し、
前記第１基地局装置から前記移動局装置へユーザデータを送信するために割り当てた無線リソース情報、及び前記第２基地局装置から受信した無線リソース情報を、前記第１基地局装置から前記移動局装置へ通知する通信方法。
【発明の詳細な説明】
【技術分野】
【０００１】
本明細書で論じられる実施態様は、無線通信システムにおける基地局装置、及び基地局装置に用いられる通信方法に関する。
【背景技術】
【０００２】
無線通信システムのセルの比較的周辺寄りのエッジ領域において、隣接セルとの間で無線リソースの分割利用を行う通信方式が提案されている。このような通信方式として、例えば部分周波数再利用(FFR: Fractional Frequency Reuse）が知られている。このような通信方式は、１つのセルが複数のセクタに分割されている場合にも、隣接セクタ間における無線リソースの共用のために適用される。簡単のため以下の説明では、カバーエリアの最小単位が「セル」及び「セクタ」のいずれである場合も、総称して基地局装置によりカバーされる領域を「セル」と表記する。
【０００３】
なお、移動通信基地局の無線アンテナを介してアップリンク信号を受信し、受信されたアップリンク信号からセル間干渉量情報を抽出する段階と、セル間干渉量情報に基づいてアップリンク制御情報を生成する段階と、生成されたアップリンク制御情報を隣接セルに位置した移動通信端末機に送信する段階とを含み、前記端末機は、アップリンク制御情報を参照してアップリンク資源をスケジューリングする方法が提案されている。
【０００４】
また、無線基地局の相互間での通信が、基地局間リンクを用いて可能な移動通信システムにおいて、隣接セルの各無線環境情報を、無線基地局間で通知して、これら無線環境情報の最新情報をメモリにそれぞれ格納しておき、これらメモリ格納情報を参照して、ハンドオーバ制御、送信電力制御、トラフィック制御などを行う移動通信システムが提案されている。
【０００５】
また、上り回線、下り回線独立に、通信品質基準の送信電力制御に応じたトラヒック制御を行い、上下回線において異なる基地局を選択するＣＤＭＡ移動通信システムが提案されている。
【０００６】
また、直交周波数分割多重方式で端末と通信する複数の基地局を含む移動通信システムにおける直交周波数分割多重周波数資源の再使用方法が提案されている。この方法は、各基地局において使用できる直交周波数分割多重周波数資源を４グループ以上に分割し、前記分割された直交周波数分割多重周波数資源毎に同一であるか、それとも異なる周波数再使用距離値を有するように設定する過程と、基地局の近隣領域から遠距離領域の順で前記分割された直交周波数分割多重周波数資源のうち周波数再使用距離値が小さい資源から周波数再使用距離値が大きい資源まで順次に割り当てる過程と、を含む。
【先行技術文献】
【特許文献】
【０００７】
【特許文献１】特開２００８−６１２５０号公報
【特許文献２】特開２００７−２９５３１８号公報
【特許文献３】特開２０００−２６９８８１号公報
【特許文献４】特開２００４−１５９３４５号公報
【非特許文献】
【０００８】
【非特許文献１】"High capacity cell planning based on fractional frequency reuse with optimum trunking efficiency", Faruque, S., Vehicular Technology Conference, 1998. VTC 98. 48th IEEE, Volume 2,  18-21 May 1998 Page(s):1458 - 1460 vol.2
【非特許文献２】"Fractional Frequency Reuse in Mobile WiMAX", ［平成２１年７月１７日検索］、インターネット＜ＵＲＬ：http://www.conniq.com/WiMAX/fractional-frequency-reuse.htm＞
【非特許文献３】3GPP TSG RAN WG1 Meeting #43（R1-051341）, Samsung, “Flexible Fractional Frequency Reuse Approach”, November 7-11 2005
【非特許文献４】小西  聡  外１名、“OFDMA系セルラシステム用Fractional Frequency Reuseに関する一検討”, 電子情報通信学会  通信ソサイエティ大会, B-5-59, 2007年9月
【発明の概要】
【発明が解決しようとする課題】
【０００９】
隣接セルとの間で無線リソースが分割利用されるエッジ領域では、基地局装置と移動局装置との間における無線伝搬距離が長くなるため、基地局装置と移動局装置との間の通信のスループットが低下する。また、エッジ領域では隣接セルのエッジ領域との間で無線リソースが分割利用されるため、各エッジ領域に割り当てられる無線リソースが少なくなることからも、基地局装置と移動局装置との間の通信のスループットが低下する。
【００１０】
実施態様に係る装置及び方法は、エッジ領域に位置する移動局装置へのデータ伝送のスループットを向上することを目的とする。
【課題を解決するための手段】
【００１１】
一実施態様による第１基地局装置は、第１基地局装置にカバーされる第１セルと第１セルに隣接する第２セルとの間で無線リソースが分割利用されるエッジ領域に位置する移動局装置を特定する移動局特定部と、移動局装置をコアネットワークへ接続するために第１基地局装置に保持される所定の接続制御情報を、第２セルをカバーする第２基地局装置へ通知する制御情報通知部と、第２基地局装置から移動局装置へユーザデータを送信するために割り当てられた無線リソース情報を第２基地局装置から受信する第１情報受信部と、第１基地局装置から移動局装置へユーザデータを送信するために割り当てられた無線リソース情報、及び第２基地局装置から受信した無線リソース情報を移動局装置へ通知する第１情報通知部と、を備える。
【発明の効果】
【００１２】
本件開示の装置又は方法によれば、隣接セルとの間で無線リソースが分割利用されるエッジ領域における、基地局装置から移動局装置へのデータ伝送のスループットを向上することが可能になる。
【図面の簡単な説明】
【００１３】
【図１】無線通信システムにおける第１実施例の構成図である。
【図２】基地局装置における実施例の構成図である。
【図３】第１基地局装置におけるベースバンド信号処理部の第１構成例の説明図である。
【図４】第２基地局装置におけるベースバンド信号処理部の第１構成例の説明図である。
【図５】第１基地局装置及び第２基地局装置における処理の第１例の説明図である。
【図６】（Ａ）は第１基地局装置から移動局装置への伝送フレームの例の説明図であり、（Ｂ）は第２基地局装置から移動局装置への伝送フレームの例の説明図である。
【図７】第１基地局装置におけるベースバンド信号処理部の第２構成例の説明図である。
【図８】第１基地局装置における処理の第１例の説明図である。
【図９】図８の第１判定処理の説明図である。
【図１０】図８の除外処理の説明図である。
【図１１】第１基地局装置におけるベースバンド信号処理部の第３構成例の説明図である。
【図１２】第１基地局装置における処理の第２例の説明図である。
【図１３】第１基地局装置におけるベースバンド信号処理部の第４構成例の説明図である。
【図１４】第２基地局装置におけるベースバンド信号処理部の第２構成例の説明図である。
【図１５】第１基地局装置及び第２基地局装置における処理の第２例の説明図である。
【図１６】無線通信システムにおける第２実施例の構成図である。
【図１７】図１６の無線通信システムにおけるユーザプレーンのプロトコル構造の説明図である。
【図１８】図１６の無線通信システムにおける制御プレーンのプロトコル構造の説明図である。
【図１９】図１６の基地局装置の構成例の説明図である。
【図２０】図１６の無線通信システムにおける処理例の説明図である。
【発明を実施するための形態】
【００１４】
以下、添付する図面を参照して本発明の実施例について説明する。図１は、無線通信システムにおける第１実施例の構成図である。参照符号１は無線通信システムを示し、参照符号ＣＮはコアネットワークを示し、参照符号ＲＮは無線アクセスネットワークを示し、参照符号ＮＤはノード装置を示し、参照符号ＢＳ１〜ＢＳ３は第１基地局装置〜第３基地局装置を示す。参照符号ＭＳ１〜ＭＳ４は移動局装置を示し、参照符号Ｃ１〜Ｃ３はセルを示し、参照符号ＣＣ１〜ＣＣ３はセンタ領域を示し、参照符号Ｅ１〜Ｅ３はエッジ領域を示す。第１基地局装置ＢＳ１〜第３基地局装置ＢＳ３を総称して基地局装置ＢＳと表記することがある。また、移動局装置ＭＳ１〜ＭＳ４を総称して移動局装置ＭＳと表記することがある。
【００１５】
無線通信システム１は、コアネットワークＣＮと無線アクセスネットワークＲＮとを含む。コアネットワークＣＮは、有線のネットワーク網に接続される基幹部分のネットワークであり、コアネットワークＣＮと移動局装置ＭＳ１〜ＭＳ４とのユーザデータの転送を行うノード装置ＮＤを含む。
【００１６】
無線アクセスネットワークＲＮは、ユーザが所有する移動局装置ＭＳ１〜ＭＳ４からネットワークへ接続するためのネットワークであり、セルＣ１〜Ｃ３をカバーする第１基地局装置ＢＳ１〜第３基地局装置ＢＳ３と、移動局装置ＭＳ１〜ＭＳ４とを含む。
【００１７】
セルＣ１〜Ｃ３のそれぞれのセンタ領域ＣＣ１〜ＣＣ３は、隣接する他のセルのセンタ領域との間で無線リソースの分割利用を行わない領域であり、これらの領域における周波数再利用係数（FRF: Frequency Reuse Facter）は「１」である。セルＣ１〜Ｃ３のそれぞれのエッジ領域Ｅ１〜Ｅ３は、隣接する他のセルのエッジ領域との間で無線リソースの分割利用を行う領域である。これらのエッジ領域Ｅ１〜Ｅ３における周波数再利用係数は、無線リソースを分割して共用するセル数の数「ｎ」と等しい。
【００１８】
無線通信システム１は、例えば、下りリンクにおける多元接続方式として直交周波数分割多元接続（OFDMA: Orthogonal Frequency Division Multiple Access）を使用してよい。また、エッジ領域Ｅ１〜Ｅ３において隣接セル間で無線リソースを分割利用するために、例えば、ＦＦＲを使用してよい。
【００１９】
図２は、第１基地局装置ＢＳ１における実施例の構成図である。第２基地局装置ＢＳ２及び第３基地局装置ＢＳ３も同様の構成を有していてよい。参照符号１０は伝送路インタフェースを示し、参照符号１１はベースバンド信号処理部を示し、参照符号１２は無線送受信部を示し、参照符号１３は無線通信アンテナを示す。
【００２０】
伝送路インタフェース１０は、コアネットワークＣＮに含まれるノード装置ＮＤ等の上位装置との間の信号の送受信、及び隣接する他の基地局装置ＢＳ２及びＢＳ３との間の信号の送受信を行う。無線送受信部１２は、移動局装置ＭＳとの間で送受信される無線周波数信号とベースバンド信号との間の変換処理を行う。
【００２１】
以下にベースバンド信号処理部１１の機能を説明する。以下の説明において、隣接する２つセルの一方をカバーする基地局装置ＢＳを第１基地局装置ＢＳ１と表記し、他方のセルをカバーする基地局装置ＢＳを第２基地局装置ＢＳ２と表記する。例えば、第１基地局装置ＢＳ１は、セルサーチ処理によって移動局装置ＭＳが位置するセルとして識別されたセルＣ１をカバーする基地局装置ＢＳであってよい。第２基地局装置ＢＳ２は、このように識別された第１基地局装置ＢＳ１のセルＣ１に隣接する他のセルＣ２をカバーする基地局装置ＢＳであってよい。
【００２２】
基地局装置ＢＳが第１基地局装置ＢＳ１として動作する場合におけるベースバンド信号処理部１１による処理を以下に説明する。図３は、第１基地局装置ＢＳ１におけるベースバンド信号処理部１１の第１構成例の説明図である。参照符号２０はベアラ設定部を示し、参照符号２１は制御情報記憶部を示し、参照符号２２はユーザデータ受信部を示し、参照符号２３はスケジューラを示し、参照符号２４は第１スケジューリング情報通知部を示す。参照符号２５は移動局特定部を示し、参照符号２６は制御情報通知部を示し、参照符号２７は第１スケジューリング情報受信部を示す。
【００２３】
ベースバンド信号処理部１１は、ベアラ設定部２０と、制御情報記憶部２１と、ユーザデータ受信部２２と、スケジューラ２３と、第１スケジューリング情報通知部２４を備える。またベースバンド信号処理部１１は、移動局特定部２５と、制御情報通知部２６と、第１スケジューリング情報受信部２７を備える。
【００２４】
制御情報記憶部２１には、第１基地局装置ＢＳ１に接続される移動局装置ＭＳをコアネットワークへ接続し、移動局装置ＭＳへ送信すべきユーザデータをコアネットワークから受信するための所定の接続制御情報が記憶される。
【００２５】
所定の接続制御情報に含まれる情報の種類は、無線通信システム１が採用する通信方式や通信プロトコルによって適宜定められる。例えば接続制御情報は、ユーザ管理情報、無線ベアラ情報及び／又は認証情報を含んでいてよい。例えばユーザ管理情報は、各移動局装置ＭＳを識別する識別子を含んだ情報であってよい。また例えば無線ベアラ情報は、移動局装置ＭＳとコアネットワークとの間で設定される無線ベアラの設定情報を含んでいてよい。
【００２６】
ベアラ設定部２０は、制御情報記憶部２１に記憶される接続制御情報に従って、移動局装置ＭＳへ送信すべきユーザデータをコアネットワークから受信するため無線ベアラを設定する。ベアラ設定部２０により無線ベアラが設定されることにより、移動局装置ＭＳへ送信すべきユーザデータが、ノード装置ＮＤから基地局装置ＢＳへ送信される。ユーザデータ受信部２２は、ノード装置ＮＤから送信されたユーザデータを受信する。ユーザデータ受信部２２によって受信されたユーザデータは、スケジューラ２３によって定められた無線リソースを用いて移動局装置ＭＳに送信される。
【００２７】
スケジューラ２３は、移動局装置ＭＳへユーザデータを送信する際に使用する無線リソースを割り当てる。第１スケジューリング情報通知部２４は、移動局装置ＭＳへのユーザデータの送信のために割り当てられた無線リソースを指定するスケジューリング情報を、移動局装置ＭＳへ送信する。スケジューリング情報は、移動局装置ＭＳへのユーザデータの送信に利用するタイムスロットや周波数帯域などの無線リソースを指示する情報のほか、変調方式や符号化率、パケットサイズを指示する情報を含んでいてよい。
【００２８】
移動局特定部２５は、第１基地局装置ＢＳ１に接続される各移動局装置ＭＳが、エッジ領域Ｅ１に位置するか、センタ領域ＣＣ１に位置するのかを判定する。例えば、移動局特定部２５は、第１基地局装置ＢＳ１と移動局装置ＭＳとの間の通信品質と、第２基地局装置ＢＳ２と移動局装置ＭＳとの間の通信品質とに基づいて、各移動局装置ＭＳがエッジ領域Ｅ１及びセンタ領域ＣＣ１のいずれに位置するか否かを判定してよい。
【００２９】
例えば移動局特定部２５は、第１基地局装置ＢＳ１と移動局装置ＭＳとの間の通信品質と、第２基地局装置ＢＳ２と移動局装置ＭＳとの間の通信品質との間の差ΔＱが所定の閾値Ｔ１以上であるとき、移動局装置ＭＳがセンタ領域ＣＣ１に位置すると判定してよい。移動局特定部２５は、通信品質の差ΔＱが閾値Ｔ１未満であるとき、移動局装置ＭＳがエッジ領域Ｅ１に位置すると判定してよい。説明の便宜のため、エッジ領域に位置すると判定された移動局装置ＭＳを移動局装置ＭＳ１と表記する。
【００３０】
例えば、各基地局装置ＢＳから送信された同期用固有信号（SCH: Cell Specific Reference Signal）を移動局装置ＭＳにて受信したときの受信相関電力を、基地局装置ＢＳと移動局装置ＭＳとの間の通信品質の指標として使用してよい。また、例えば、各基地局装置ＢＳから送信された同期用固有信号の受信相関電力に基づく信号対干渉雑音比（SINR: Signal to Interference plus Noise Ratio）を、通信品質の指標として使用してもよい。
【００３１】
制御情報通知部２６は、移動局装置ＭＳ１について制御情報記憶部２１に記憶されている接続制御情報を、隣接する第２基地局装置ＢＳ２へ送信する。第１スケジューリング情報受信部２７は、接続制御情報が送信された第２基地局装置ＢＳ２から、第２基地局装置ＢＳ２が移動局装置ＭＳ１へユーザデータを送信するために割り当てた無線リソースのスケジューリング情報を受信する。
【００３２】
第１スケジューリング情報通知部２４は、第１基地局装置ＢＳ１から移動局装置ＭＳへのスケジューリング情報を送信する制御チャネルにて、第１基地局装置ＢＳ１で割り当てたスケジューリング情報とともに、第２基地局装置ＢＳ２から受信したスケジューリング情報を移動局装置ＭＳへ送信する。
【００３３】
次に、基地局装置ＢＳが第２基地局装置ＢＳ２として動作する場合におけるベースバンド信号処理部１１による処理を以下に説明する。図４は、第２基地局装置ＢＳ２におけるベースバンド信号処理部１１の第１構成例の説明図である。
【００３４】
なお、基地局装置ＢＳは、第１基地局装置ＢＳ１及び第２基地局装置ＢＳ２のどちらの基地局装置としても動作可能であってよい。したがって基地局装置ＢＳは、図３及び図４に記載される第１基地局装置ＢＳ１及び第２基地局装置ＢＳ２の両方の構成を備えていてよい。同様に、以下に説明される他の実施例においても、第１基地局装置ＢＳ１及び第２基地局装置ＢＳ２の両方の構成を備えていてよい。図３に示す構成要素と同様の構成要素には図３で使用した参照符号と同じ参照符号を付する。
【００３５】
参照符号３０は制御情報受信部を示し、参照符号３１は第１スケジューリング情報送信部を示す。ベースバンド信号処理部１１は、ベアラ設定部２０と、制御情報記憶部２１と、ユーザデータ受信部２２と、スケジューラ２３と、第１スケジューリング情報通知部２４と、制御情報受信部３０と、第１スケジューリング情報送信部３１を備える。
【００３６】
制御情報受信部３０は、第１基地局装置ＢＳ１から送信された、移動局装置ＭＳ１についての接続制御情報を受信する。第２基地局装置ＢＳ２は、第２基地局装置ＢＳ２から移動局装置ＭＳ１へのユーザデータの送信の可否を決定し、決定結果について第１基地局装置ＢＳ１へ応答する。
【００３７】
第２基地局装置ＢＳ２から移動局装置ＭＳ１へのユーザデータの送信を行うとき、制御情報受信部３０により受信された接続制御情報は、制御情報記憶部２１に記憶される。ベアラ設定部２０は、制御情報記憶部２１に記憶される接続制御情報に従って、移動局装置ＭＳ１へ送信すべきユーザデータをコアネットワークから受信するため無線ベアラを設定する。
【００３８】
ベアラ設定部２０は、第１基地局装置ＢＳ１から送信されるユーザデータと、第２基地局装置ＢＳ２から送信されるユーザデータとが異なるように無線ベアラを設定してよい。このため、第１基地局装置ＢＳ１の制御情報通知部２６は、第１基地局装置ＢＳ１が設定する予定の無線ベアラと異なる他の無線ベアラに関する設定情報を、第２基地局装置ＢＳ２に送信してもよい。
【００３９】
第１基地局装置ＢＳ１は、第２基地局装置ＢＳ２にて経由すべき移動局装置ＭＳ１の無線ベアラを特定するための情報又は基準を、第２基地局装置ＢＳ２へ送信するベアラ特定情報送信部を備えてもよい。第２基地局装置ＢＳ２は、上記無線ベアラを特定するための情報又は基準を第１基地局装置ＢＳ１から受信するベアラ特定情報受信部を備えてもよい。第２基地局装置ＢＳ２のベアラ設定部２０は、上記情報又は基準に基づいて、設定すべき無線ベアラを決定してもよい。第１基地局装置ＢＳ１と第２基地局装置ＢＳ２とが、両基地局装置ＢＳ１及びＢＳ２がそれぞれ経由すべき無線ベアラの特定について連携することにより、基地局装置ＢＳ１及びＢＳ２から異なるユーザデータをそれぞれ送信することが可能となる。
【００４０】
スケジューラ２３は、移動局装置ＭＳ１へユーザデータを送信する際に使用する無線リソースを割り当てる。ユーザデータ受信部２２によって受信された、移動局装置ＭＳ１へのユーザデータは、スケジューラ２３によって定められた無線リソースを用いて移動局装置ＭＳに送信される。
【００４１】
第１スケジューリング情報送信部３１は、スケジューラ２３によって割り当てられた、移動局装置ＭＳ１へユーザデータを送信する際に使用する無線リソースを指定するスケジューリング情報を、第１基地局装置ＢＳ１へ送信する。上記の通り、第２基地局装置ＢＳ２から第１基地局装置ＢＳ１へ送信されたスケジューリング情報は、第１基地局装置ＢＳ１の第１スケジューリング情報通知部２４によって、移動局装置ＭＳ１へ通知される。このため移動局装置ＭＳ１は、第２基地局装置ＢＳ２から送信されたユーザデータを受信することができる。
【００４２】
図５は、第１基地局装置ＢＳ１及び第２基地局装置ＢＳ２における処理の第１例の説明図である。別な実施の態様においては、下記のオペレーションＡＡ〜ＡＧの各オペレーションはステップであってもよい。オペレーションＡＡにおいて第１基地局装置ＢＳ１の移動局特定部２５は、エッジ領域Ｅ１に位置する移動局装置ＭＳ１を特定する。
【００４３】
オペレーションＡＢにおいて第１基地局装置ＢＳ１の制御情報通知部２６は、移動局装置ＭＳ１に関する接続制御情報を、隣接する第２基地局装置ＢＳ２へ送信する。オペレーションＡＣにおいて第２基地局装置ＢＳ２の制御情報受信部３０は、移動局装置ＭＳ１に関する接続制御情報を受信する。
【００４４】
オペレーションＡＤにおいて第２基地局装置ＢＳ２のスケジューラ２３は、第２基地局装置ＢＳ２から移動局装置ＭＳ１へユーザデータを送信する際に使用する無線リソースを割り当てる。第１スケジューリング情報送信部３１は、スケジューラ２３が割り当てた無線リソースを指定するスケジューリング情報を、第１基地局装置ＢＳ１へ送信する。
【００４５】
オペレーションＡＥにおいて第１基地局装置ＢＳ１の第１スケジューリング情報受信部２７は、第２基地局装置ＢＳ２から送信されたスケジューリング情報を受信する。オペレーションＡＦにおいて第１基地局装置ＢＳ１の第１スケジューリング情報通知部２４は、第１基地局装置ＢＳ１から移動局装置ＭＳへのスケジューリング情報を送信する制御チャネルにて、スケジューリング情報を移動局装置ＭＳへ通知する。このとき第１スケジューリング情報通知部２４は、第１基地局装置ＢＳ１で割り当てたスケジューリング情報とともに、第２基地局装置ＢＳ２から受信したスケジューリング情報を移動局装置ＭＳへ送信する。また、第１基地局装置ＢＳ１は、第１基地局装置ＢＳ１のスケジューラ２３によって割り当てられた無線リソースを用いて、移動局装置ＭＳ１へユーザデータを送信する。
【００４６】
オペレーションＡＧにおいて第２基地局装置ＢＳ２は、第２基地局装置ＢＳ２のスケジューラ２３によって割り当てられた無線リソースを用いて、移動局装置ＭＳ１へユーザデータを送信する。
【００４７】
図６の（Ａ）は第１基地局装置ＢＳ１移動局装置ＭＳ１への伝送フレームの例の説明図であり、図６の（Ｂ）は第２基地局装置ＢＳ１から移動局装置ＭＳ１への伝送フレームの例の説明図である。参照符号９０は、第１基地局装置ＢＳ１から各移動局装置ＭＳへ伝送される制御情報を示し、参照符号９１は、センタＣＣ１に位置する移動局装置ＭＳへ伝送されるユーザデータを示す。
【００４８】
参照符号９２は、第１基地局装置ＢＳ１から移動局装置ＭＳ１へ送信されるユーザデータを示し、参照符号９３は、エッジ領域Ｅ１に位置する他の移動局装置ＭＳへ送信されるユーザデータを示す。参照符号９４は、第２基地局装置ＢＳ２から移動局装置ＭＳ１へ送信されるユーザデータを示す。
【００４９】
エッジ領域Ｅ１に位置する移動局装置ＭＳへデータ送信に使用される無線リソースは、第１基地局装置ＢＳ１及び第２基地局装置ＢＳ２の間で分割利用されている。したがって、第１基地局装置ＢＳ１及び第２基地局装置ＢＳ２から移動局装置ＭＳ１へのデータ送信に使用される無線リソース９２及び９４は重複しない。このため、移動局装置ＭＳ１は、図６の（Ａ）及び図６の（Ｂ）に示す伝送フレームが同時に到来しても、第１基地局装置ＢＳ１及び第２基地局装置ＢＳ２から受信したユーザデータ同士は干渉しない。
【００５０】
これら無線リソース９２及び９４を指定するスケジューリング情報は、第１基地局装置ＢＳ１から移動局装置ＭＳ１へ送信される制御情報９０に含まれている。移動局装置ＭＳ１は、移動局装置ＭＳ１宛の制御情報９０を復調及び復号することで、各基地局装置ＢＳ１及びＢＳ２から送信されたユーザデータを受信することができる。
【００５１】
本実施例によれば、エッジ領域に位置する移動局装置ＭＳに対して、隣接する複数の基地局装置ＢＳから異なる物理チャネルを用いてデータを送信することが可能となる。このため、エッジ領域に位置する移動局装置ＭＳへのデータ伝送のスループットが向上する。
【００５２】
続いて、基地局装置ＢＳが第１基地局装置ＢＳ１として動作する場合における、他のベースバンド信号処理部１１による処理を説明する。図７は、第１基地局装置ＢＳ１におけるベースバンド信号処理部１１の第２構成例の説明図である。参照符号４０は第１判定部を示し、参照符号４１は要求部を示す。図３に示す構成要素と同様の構成要素には図３で使用した参照符号と同じ参照符号を付する。ベースバンド信号処理部１１は、第１判定部４０と、要求部４１を備える。
【００５３】
第１判定部４０は、エッジ領域Ｅ１に位置すると移動局特定部２５が判定した移動局装置ＭＳへ、第２基地局装置ＢＳ２からユーザデータを送信してもよいか否かを判定する。説明の便宜のため、第２基地局装置ＢＳ２からユーザデータを送信すると判定された移動局装置ＭＳを移動局装置ＭＳ２と表記する。
【００５４】
第１判定部４０は、例えば第１基地局装置ＢＳ１と移動局装置ＭＳ２との間の通信品質と、第２基地局装置ＢＳ２と移動局装置ＭＳ２との間の通信品質に応じて、第２基地局装置ＢＳ２から移動局装置ＭＳ２へユーザデータを送信してもよいか否かを判定してよい。例えば、第１判定部４０は、第１基地局装置ＢＳ１と移動局装置ＭＳ２との間の通信品質と、第２基地局装置ＢＳ２と移動局装置ＭＳ２との間の通信品質の差ΔＱが所定の閾値Ｔ２未満であるか否かに応じて、第２基地局装置ＢＳ２から移動局装置ＭＳ２へユーザデータを送信してもよいか否かを判定してよい。
【００５５】
第１判定部４０は、例えば例えば第１基地局装置ＢＳ１と移動局装置ＭＳ２との間の通信品質が所定の閾値Ｔ３未満であるという条件を、上記判定の条件に加えてもよい。第１判定部４０が第２基地局装置ＢＳ２から移動端末装置４１へユーザデータを送信してもよいと判定したとき、制御情報通知部２６は、移動局装置ＭＳ２について、制御情報記憶部２１に記憶されている接続制御情報を、隣接する第２基地局装置ＢＳ２へ送信する。
【００５６】
また第１判定部４０が、第２基地局装置ＢＳ２から移動端末装置ＭＳ２へユーザデータを送信してもよいと判定したとき、要求部４１は、移動端末装置ＭＳ２へユーザデータを送信することを第２基地局装置ＢＳ２へ要求する。第２基地局装置ＢＳ２への要求は、制御情報通知部２６による接続制御情報の通知という形で暗示的に行われてもよい。この場合、要求部４１と制御情報通知部２６とを同一の構成要素として実現してよい。
【００５７】
要求部４１による要求を受信した第２基地局装置ＢＳ２は、第２基地局装置ＢＳ２から移動局装置ＭＳ２へのユーザデータの送信の可否を決定し、決定結果について第１基地局装置ＢＳ１へ応答する。第２基地局装置ＢＳ２から移動局装置ＭＳ１へのユーザデータの送信を行うとき、制御情報受信部３０により受信された接続制御情報は、制御情報記憶部２１に記憶される。以下の処理は、図３〜図６を参照して説明した実施例の処理と同様である。
【００５８】
図８は、第１基地局装置ＢＳ１における処理の第１例の説明図である。別な実施の態様においては、下記のオペレーションＢＡ〜ＢＨの各オペレーションはステップであってもよい。第１基地局装置ＢＳ１に接続される各移動局装置ＭＳについて、オペレーションＢＡ〜ＢＨが反復される。
【００５９】
オペレーションＢＢにおいて移動局特定部２５及び第１判定部４０は、以下に説明する第１判定処理を実行する。図９は、図８の第１判定処理ＢＢの説明図である。別な実施の態様においては、下記のオペレーションＣＡ〜ＣＦの各オペレーションはステップであってもよい。
【００６０】
オペレーションＣＡにおいて移動局特定部２５は、第１基地局装置ＢＳ１と移動局装置ＭＳとの間の通信品質と、第２基地局装置ＢＳ２と移動局装置ＭＳとの間の通信品質との間の差ΔＱが所定の閾値Ｔ１以上であるか否かを判定する。差ΔＱが所定の閾値Ｔ１以上であるとき（オペレーションＣＡ：Ｙ）、処理はオペレーションＣＢへ移行する。差ΔＱが所定の閾値Ｔ１未満であるとき（オペレーションＣＡ：Ｎ）、処理はオペレーションＣＤへ移行する。
【００６１】
オペレーションＣＢにおいて移動局特定部２５は、センタ領域ＣＣ１に位置する移動局装置のグループであるセンタ領域割り当てグループへ、本移動局装置ＭＳを追加する。その後処理はオペレーションＣＣへ移行する。オペレーションＣＤにおいて移動局特定部２５は、エッジ領域Ｅ１に位置する移動局装置のグループであるエッジ領域割り当てグループへ、本移動局装置ＭＳを追加する。その後処理はオペレーションＣＥへ移行する。
【００６２】
オペレーションＣＥにおいて第１判定部４０は、差ΔＱが所定の閾値Ｔ２以上であるか否かを判定する。閾値Ｔ２は、閾値Ｔ１以下の値であってよい。差ΔＱが所定の閾値Ｔ２以上であるとき（オペレーションＣＥ：Ｙ）、処理はオペレーションＣＣへ移行する。差ΔＱが所定の閾値Ｔ２未満であるとき（オペレーションＣＥ：Ｎ）、処理はオペレーションＣＦへ移行する。
【００６３】
オペレーションＣＣにおいて第１判定部４０は、本移動局装置ＭＳが、第１基地局装置ＢＳ１に加えて第２基地局装置ＢＳ２からもユーザデータの送信が行われるマルチチャネルアクセスを行う対象となる移動局装置ではないと判断する。その後処理は終了する。一方のオペレーションＣＦにおいて第１判定部４０は、本移動局装置ＭＳが、マルチチャネルアクセスを行う対象となる移動局装置であると判断する。その後処理は終了する。
【００６４】
図８を参照する。オペレーションＢＣにおいて要求部４１は、既に本移動局装置ＭＳについて、マルチアクセスを行う対象として、第２基地局装置ＢＳ２からユーザデータの送信を行うことを第２基地局装置ＢＳ２へ既に要求済みであるか否かを判定する。要求済みでないとき（オペレーションＢＣ：Ｎ）、処理はオペレーションＢＤへ移行する。要求済みであるとき（オペレーションＢＣ：Ｙ）、処理はオペレーションＢＦへ移行する。
【００６５】
オペレーションＢＤにおいて要求部４１は、オペレーションＢＢにおいて本移動局装置ＭＳがマルチチャネルアクセスの対象であると判定されたか否かを判定する。本移動局装置ＭＳがマルチチャネルアクセスの対象でないとき（オペレーションＢＤ：Ｎ）、本移動局装置ＭＳに対する処理が終了する。本移動局装置ＭＳがマルチチャネルアクセスの対象であるとき（オペレーションＢＤ：Ｙ）、処理はオペレーションＢＥへ移行する。オペレーションＢＥにおいて要求部４１は、第２基地局装置ＢＳ２に対して、本移動局装置ＭＳの接続制御情報を制御情報記憶部２１へ記憶される接続制御情報へ追加することを要求する。すなわち、要求部４１は、本移動端末装置ＭＳへユーザデータを送信することを第２基地局装置ＢＳ２へ要求する。また、制御情報通知部２６は本移動局装置ＭＳの接続制御情報を、第２基地局装置ＢＳ２へ通知する。その後、本移動局装置ＭＳに対する処理が終了する。
【００６６】
オペレーションＢＦにおいて要求部４１は、オペレーションＢＢにおいて本移動局装置ＭＳがマルチチャネルアクセスの対象であると判定されたか否かを判定する。本移動局装置ＭＳがマルチチャネルアクセスの対象であるとき（オペレーションＢＦ：Ｙ）、本移動局装置ＭＳに対する処理が終了する。本移動局装置ＭＳがマルチチャネルアクセスの対象でないとき（オペレーションＢＦ：Ｎ）、処理はオペレーションＢＧへ移行する。
【００６７】
オペレーションＢＧにおいて要求部４１は、以下に説明する除外処理を実行する。図１０は、図８の除外処理ＢＧの説明図である。別な実施の態様においては、下記のオペレーションＤＡ〜ＤＣの各オペレーションはステップであってもよい。オペレーションＤＡにおいて要求部４１は、本移動局装置ＭＳが、マルチチャネルアクセスの対象でなくなってから所定の期間が経過したか否かを判定する。所定の期間が経過していないとき（オペレーションＤＡ：Ｎ）、処理はオペレーションＤＢへ移行する。所定の期間が経過したとき（オペレーションＤＡ：Ｙ）、処理はオペレーションＤＣへ移行する。
【００６８】
オペレーションＤＢにおいて要求部４１は、第２基地局装置ＢＳ２の制御情報記憶部２１へ接続制御情報が記憶された本移動局装置ＭＳを、ユーザデータの送信及び無線リソースの割り当ての対象から除外する割り当て除外要求を、第２基地局装置ＢＳ２へ行う。その後処理は終了する。
【００６９】
一方、オペレーションＤＣにおいて要求部４１は、第２基地局装置ＢＳ２の制御情報記憶部２１へ接続制御情報が記憶された本移動局装置ＭＳについて、接続制御情報の削除を第２基地局装置ＢＳ２へ要求する。その後処理は終了する。図８を参照する。オペレーションＢＧの後、本移動局装置ＭＳに対する処理が終了する。
【００７０】
本実施例によれば、第１基地局装置ＢＳ１のエッジ領域Ｅ１にいる移動局装置ＭＳのうち、第２基地局装置ＢＳ２との通信品質が比較的良好な移動局装置を、第２基地局装置ＢＳ２からユーザデータを送信するマルチチャネルアクセスの対象として選択できる。このため、第１基地局装置ＢＳ１以外の第２基地局装置ＢＳ２からデータを伝送するとき、第２基地局装置ＢＳ２と移動局装置ＭＳとの間の通信品質の低下の恐れを低減できる。
【００７１】
続いて、基地局装置ＢＳが第１基地局装置ＢＳ１として動作する場合における、他のベースバンド信号処理部１１による処理を説明する。図１１は、第１基地局装置ＢＳ１におけるベースバンド信号処理部１１の第３構成例の説明図である。参照符号４２は第２判定部を示し、参照符号４３はサービスクラス割当部を示す。図７に示す構成要素と同様の構成要素には図７で使用した参照符号と同じ参照符号を付する。ベースバンド信号処理部１１は、第２判定部４２と、サービスクラス割当部４３を備える。
【００７２】
第２判定部４２は、マルチチャネルアクセスの対象であると判定された移動局装置ＭＳ２へ送信される下りリンクのユーザデータが、複数のサービスクラスに属するデータを含むか否かを判定する。説明の便宜のため、複数のサービスクラスに属するデータを含むユーザデータが送信される移動局装置ＭＳを移動局装置ＭＳ３と表記する。
【００７３】
サービスクラス割当部４３は、移動局装置ＭＳ３へ送信するサービスクラスを、第１基地局装置ＢＳ１と第２基地局装置ＢＳ２との間で割り当てる。このときサービスクラス割当部４３は、第２基地局装置ＢＳ２から送信するユーザデータのサービスクラスとして、第１基地局装置ＢＳ１から送信するユーザデータのサービスクラスと異なるサービスクラスを割り当てる。
【００７４】
サービスクラス割当部４３は、第１基地局装置ＢＳ１と移動局装置ＭＳ３との間の通信品質と、第２基地局装置ＢＳ２と移動局装置ＭＳ３との間の通信品質とに基づいて、各基地局装置ＢＳ１及びＢＳ２に対するサービスクラスの割り当てを決定してよい。例えばサービスクラス割当部４３は、通信品質がより高い基地局装置ＢＳに、より伝送レートや優先度が高いサービスクラスを割り当ててもよい。
【００７５】
またサービスクラス割当部４３は、第１基地局装置ＢＳ１と移動局装置ＭＳ３との間の通信品質、第２基地局装置ＢＳ２と移動局装置ＭＳ３との間の通信品質の差ΔＱが所定の閾値Ｔ４よりも低いか否かを判定してよい。差ΔＱが閾値Ｔ４よりも低いとき、第２基地局装置ＢＳ２に割り当てるサービスクラスの優先度を、ある所定値以上に設定してもよい。
【００７６】
サービスクラス割当部４３は、第２基地局装置ＢＳ２へ対して、上記の通り第２基地局装置ＢＳ２へ割り当てたサービスクラスのデータをコアネットワークから受信して移動局装置ＭＳ３へ送信するように要求する。
【００７７】
第２基地局装置ＢＳ２に対して、上記の要求と、割り当てたサービスクラスの通知を行うために、例えば制御情報通知部２６は次のような処理を行ってよい。例えば制御情報通知部２６は、第２基地局装置ＢＳ２へ割り当てられたサービスクラスを有する無線ベアラを指定する情報を、接続制御情報として第２基地局装置ＢＳ２へ送信してよい。また例えば、制御情報通知部２６は、第２基地局装置ＢＳ２へ割り当てられたサービスクラスを示す情報を第２基地局装置ＢＳ２へ送信してもよい。また例えば、制御情報通知部２６は、第２基地局装置ＢＳ２へ割り当てられたサービスクラスを特定するために第２基地局装置ＢＳ２のベアラ設定部２０が使用する基準を第２基地局装置ＢＳ２へ送信してよい。
【００７８】
制御情報通知部２６によって通知されるこれら情報に従って、第２基地局装置ＢＳ２のベアラ設定部２０は、割り当てられたサービスクラスを有する移動局装置ＭＳ３の無線ベアラを特定し、この無線ベアラと同様の無線ベアラを設定する。この処理によって、ユーザデータ受信部２２が、割り当てられたサービスクラスを有するユーザデータをコアネットワークから受信する。
【００７９】
図１２は、第１基地局装置ＢＳ１における処理の第２例の説明図である。別な実施の態様においては、下記のオペレーションＥＡ〜ＥＪの各オペレーションはステップであってもよい。マルチチャネルアクセスの対象であると判定された各移動局装置ＭＳについて、オペレーションＥＡ〜ＥＪが反復される。
【００８０】
オペレーションＥＢにおいて第２判定部４２は、本移動局装置ＭＳへ送信される下りリンクのユーザデータが、複数のサービスクラスに属するデータを含むか否かを判定する。複数のサービスクラスに属するデータが含まれるとき（オペレーションＥＢ：Ｙ）、処理はオペレーションＥＣへ移行する。複数のサービスクラスに属するデータが含まれないとき（オペレーションＥＢ：Ｎ）、処理はオペレーションＥＤへ移行する。
【００８１】
オペレーションＥＣにおいて第２判定部４２は、本移動局装置ＭＳが、この移動局装置ＭＳへ送信するデータのサービスクラスを第１基地局装置ＢＳ１及び第２基地局装置ＢＳ２の間で割り当てる、サービスクラス割当処理の対象となると判定する。その後処理はオペレーションＥＥへ移行する。オペレーションＥＤにおいて第２判定部４２は、本移動局装置ＭＳがサービスクラス割当処理の対象でないと判定する。その後処理はオペレーションＥＥへ移行する。
【００８２】
オペレーションＥＥにおいてサービスクラス割当部４３は、本移動局装置ＭＳについて、本移動局装置ＭＳへ送信するデータのサービスクラスを第２基地局装置ＢＳ２に対して指定する上記の要求を、既に行ったか否かを判定する。まだ要求が行われていないとき（オペレーションＥＥ：Ｎ）、処理はオペレーションＥＦへ移行する。すでに要求が行われているとき（オペレーションＥＥ：Ｙ）、処理はオペレーションＥＨへ移行する。
【００８３】
オペレーションＥＦにおいてサービスクラス割当部４３は、第２判定部４２によって本移動局装置ＭＳがサービスクラス割当処理の対象であると判定されたか否かを判定する。本移動局装置ＭＳがサービスクラス割当処理の対象でないとき（オペレーションＥＦ：Ｎ）、本移動局装置ＭＳに対する処理が終了する。本移動局装置ＭＳがサービスクラス割当処理の対象であるとき（オペレーションＥＦ：Ｙ）、処理はオペレーションＥＧへ移行する。
【００８４】
オペレーションＥＧにおいてサービスクラス割当部４３は、本移動局装置ＭＳへ送信するサービスクラスを、第１基地局装置ＢＳ１と第２基地局装置ＢＳ２との間で割り当てる。サービスクラス割当部４３は、オペレーションＥＧで第２基地局装置ＢＳ２に割り当てたサービスクラスを、本移動局装置ＭＳへ送信するデータのサービスクラスとして第２基地局装置ＢＳ２に対して指定する要求を行う。その後本移動局装置ＭＳに対する処理は終了する。
【００８５】
オペレーションＥＨにおいてサービスクラス割当部４３は、第２判定部４２によって本移動局装置ＭＳがサービスクラス割当処理の対象であると判定されたか否かを判定する。本移動局装置ＭＳがサービスクラス割当処理の対象であるとき（オペレーションＥＨ：Ｙ）、本移動局装置ＭＳに対する処理が終了する。本移動局装置ＭＳがサービスクラス割当処理の対象でないとき（オペレーションＥＨ：Ｎ）、処理はオペレーションＥＩへ移行する。
【００８６】
オペレーションＥＩにおいてサービスクラス割当部４３は、本移動局装置ＭＳについて以前に行ったサービスクラスの指定の解除を、第２基地局装置ＢＳ２に対して要求する。その後本移動局装置ＭＳに対する処理は終了する。
【００８７】
本実施例によれば、同じ移動局装置ＭＳへ送信されるユーザデータが異なる複数のサービスクラスに属するデータを含むとき、異なる複数のサービスクラスのデータを、それぞれ異なる基地局装置ＢＳから同じ移動局装置ＭＳへ送信することが可能となる。このため、例えば、各基地局装置ＢＳと移動局装置ＭＳとの間のそれぞれの通信品質に応じたサービスクラスのデータを各基地局装置ＢＳからそれぞれ移動局装置ＭＳへ送信することができる。この結果、更なるスループットの向上を図ることが可能となる。
【００８８】
続いて、基地局装置ＢＳが第１基地局装置ＢＳ１として動作する場合における、他のベースバンド信号処理部１１による処理を説明する。図１３は、第１基地局装置ＢＳ１におけるベースバンド信号処理部１１の第４構成例の説明図である。参照符号４４は第２スケジューリング情報送信部を示す。図３に示す構成要素と同様の構成要素には図３で使用した参照符号と同じ参照符号を付する。本実施例は、上述の他の実施例と組み合わせて使用してもよい。
【００８９】
ベースバンド信号処理部１１は、第２スケジューリング情報送信部４４を備える。第２スケジューリング情報送信部４４は、第１基地局装置ＢＳ１から移動局装置ＭＳ１へユーザデータ送信する無線リソースを指定するスケジューリング情報を、第２基地局装置ＢＳ２へ送信する。
【００９０】
続いて、基地局装置ＢＳが第２基地局装置ＢＳ２として動作する場合における、他のベースバンド信号処理部１１による処理を説明する。図１４は、第２基地局装置ＢＳ２におけるベースバンド信号処理部１１の第２構成例の説明図である。参照符号４５は第２スケジューリング情報受信部を示す。図４に示す構成要素と同様の構成要素には図４で使用した参照符号と同じ参照符号を付する。本実施例は、上述の他の実施例と組み合わせて使用してもよい。
【００９１】
ベースバンド信号処理部１１は、第２スケジューリング情報受信部４５を備える。第２スケジューリング情報受信部４５は、第１基地局装置ＢＳ１の第２スケジューリング情報送信部４４から送信されたスケジューリング情報を受信する。第２基地局装置ＢＳ２の第１スケジューリング情報通知部２４は、第１基地局装置ＢＳ１及び第２基地局装置ＢＳ２によってそれぞれ移動局装置ＭＳ１へ割り当てられた無線リソースのスケジューリング情報を、移動局装置ＭＳ１へ送信する。
【００９２】
例えば、第１基地局装置ＢＳ１の第２スケジューリング情報送信部４４は、第１基地局装置ＢＳ１と移動局装置ＭＳ１との間の通信品質Ｑ１と、第２基地局装置ＢＳ２と移動局装置ＭＳ１との間の通信品質Ｑ２を比較してよい。通信品質Ｑ１が通信品質Ｑ２よりも低いとき、第１基地局装置ＢＳ１の第２スケジューリング情報送信部４４は、第２基地局装置ＢＳ２へスケジューリング情報を送信してよい。この場合、第１基地局装置ＢＳ１の第１スケジューリング情報通知部２４は、第１基地局装置ＢＳ１から移動局装置ＭＳ１へのデータ送信に割り当てた無線リソースのスケジューリング情報を送信しなくてよい。第２スケジューリング情報送信部４４からスケジューリング情報を受信したとき、第２基地局装置ＢＳ２の第１スケジューリング情報通知部２４は、基地局装置ＢＳ１及びＢＳ２が移動局装置ＭＳ１へ割り当てた無線リソースのスケジューリング情報を移動局装置ＭＳ１へ送信してよい。
【００９３】
また例えば、第１基地局装置ＢＳ１の第２スケジューリング情報送信部４４は、通信品質Ｑ１及びＱ２に関わらず、第２基地局装置ＢＳ２へスケジューリング情報を送信してよい。この場合、通信品質Ｑ１が通信品質Ｑ２よりも低いとき、第１基地局装置ＢＳ１の第１スケジューリング情報通知部２４は、第１基地局装置ＢＳ１から移動局装置ＭＳ１へのデータ送信に割り当てた無線リソースのスケジューリング情報を送信しなくてよい。
【００９４】
通信品質Ｑ１が通信品質Ｑ２よりも低いとき、第２基地局装置ＢＳ２の第１スケジューリング情報通知部２４は、第１基地局装置ＢＳ１及び第２基地局装置ＢＳ２によって移動局装置ＭＳ１へ割り当てられた無線リソースのスケジューリング情報を移動局装置ＭＳ１へ送信してよい。
【００９５】
図１３及び図１４を参照して説明した第１基地局装置ＢＳ１及び第２基地局装置ＢＳ２における処理の例を説明する。図１５は、第１基地局装置ＢＳ１及び第２基地局装置ＢＳ２における処理の第２例の説明図である。別な実施の態様においては、下記のオペレーションＦＡ〜ＦＧの各オペレーションはステップであってもよい。
【００９６】
オペレーションＦＡにおいて第１基地局装置ＢＳ１の第２スケジューリング情報送信部４４は、第１基地局装置ＢＳ１と移動局装置ＭＳ１との間の通信品質Ｑ１と、第２基地局装置ＢＳ２と移動局装置ＭＳ１との間の通信品質Ｑ２を比較する。通信品質Ｑ１とＱ２との差ΔＱ＝Ｑ１−Ｑ２が「０」以上のとき（オペレーションＦＡ：Ｙ）、処理はオペレーションＦＢへ移行する。差ΔＱが「０」より小さいとき（オペレーションＦＡ：Ｎ）、処理はオペレーションＦＣへ移行する。
【００９７】
オペレーションＦＢにおいて第１基地局装置ＢＳ１の第１スケジューリング情報通知部２４は、基地局装置ＢＳ１及びＢＳ２がそれぞれ移動局装置ＭＳ１へ割り当てた無線リソースのスケジューリング情報を送信する。また、第１基地局装置ＢＳ１は、第１基地局装置ＢＳ１のスケジューラ２３によって割り当てられた無線リソースを用いて、移動局装置ＭＳ１へユーザデータを送信する。その後、第１基地局装置ＢＳ１における処理は終了する。
【００９８】
オペレーションＦＣにおいて第１基地局装置ＢＳ１の第２スケジューリング情報送信部４４は、第２基地局装置ＢＳ２へスケジューリング情報を送信する。その後処理はオペレーションＦＦへ移行する。
【００９９】
オペレーションＦＤにおいて第２基地局装置ＢＳ２の第１スケジューリング情報通知部２４は、第２スケジューリング情報受信部４５がスケジューリング情報を受信したか否かを判定する。スケジューリング情報が受信されたとき（オペレーションＦＤ：Ｙ）、処理はオペレーションＦＥへ移行する。スケジューリング情報が受信されないとき（オペレーションＦＤ：Ｎ）、処理はオペレーションＦＧへ移行する。
【０１００】
オペレーションＦＥにおいて第２基地局装置ＢＳ２の第１スケジューリング情報通知部２４は、第１基地局装置ＢＳ１及び第２基地局装置ＢＳ２によって移動局装置ＭＳ１へ割り当てられた無線リソースのスケジューリング情報を送信する。また、第２基地局装置ＢＳ２は、第２基地局装置ＢＳ２のスケジューラ２３によって割り当てられた無線リソースを用いて、移動局装置ＭＳ１へユーザデータを送信する。その後、第２基地局装置ＢＳ２における処理は終了する。一方で、オペレーションＦＦにおいて第１基地局装置ＢＳ１は、第１基地局装置ＢＳ１のスケジューラ２３によって割り当てられた無線リソースを用いて、移動局装置ＭＳ１へユーザデータを送信する。その後、第１基地局装置ＢＳ１における処理は終了する。
【０１０１】
オペレーションＦＧにおいて第２基地局装置ＢＳ２は、第２基地局装置ＢＳ２のスケジューラ２３によって割り当てられた無線リソースを用いて、移動局装置ＭＳ１へユーザデータを送信する。その後、第２基地局装置ＢＳ２における処理は終了する。
【０１０２】
本実施例によれば、隣接する基地局装置ＢＳのうちより通信品質が良好な基地局装置ＢＳからスケジューリング情報を送信するように、スケジューリング情報の送信元を変更できる。このため、移動局装置ＭＳがスケジューリング情報の受信に成功する可能性を高めることができ、移動局装置ＭＳと基地局装置ＢＳとの間の通信効率を向上することができる。
【０１０３】
続いて、上述の各実施例の無線通信システムを、３ＧＰＰ（3rd Generation partnership Project）で検討される通信方式であるＬＴＥ（Long Term Evolution）に適用した場合の実施例について説明する。図１６は、無線通信システムにおける第２実施例であるＳＡＥ（Systems Architecture Evolution）アーキテクチャの構成図である。図１６は、文献3GPP TS23.401 V9.1.0 のFigure 4.2.1-1に対応する図である。
【０１０４】
無線通信システム１００は、例えば、E-UTRAN（Evolved Universal Terrestrial Radio Access Network）と、ＳＧＳＮ〔Serving GPRS（General Packet Radio Service）Support Node〕と、ＨＳＳ（Home Subscriber Server）と、ＭＭＥ（Mobility Management Entity）と、Ｓ−ＧＷ（Serving Gateway）と、ＰＤＮ−ＧＷ（Packet Data Network Gateway）と、ＰＣＲＦ（Policy and Charging Rules Function）と、ＣＳＣＦ（Call Session Control Function）を含む。E-UTRANは、移動局装置ＭＳとしてのユーザ端末（ＵＥ）と、基地局装置ＢＳとしてのeNodeB（略して、ｅＮＢ）を含む。
【０１０５】
ＵＥは、無線インタフェースを具備し、ｅＮＢのサービスエリア内において当該ｅＮＢと無線リンクにより接続し、当該ｅＮＢを介して他のＵＥやサーバ装置等と通信する。無線リンクには、ＵＥからｅＮＢへの方向であるアップリンク（ＵＬ）と、その逆の方向であるダウンリンク（ＤＬ）とが含まれる。なお、ＵＥとしては、携帯電話やＰＤＡ、ノート型ＰＣ等が挙げられる。また、ＵＥは、有線インタフェースによりｅＮＢと接続する通信端末であってもよい。
【０１０６】
ｅＮＢは、ＵＥとの間の無線インタフェースを終端するエンティティ（ノード）であり、ＵＥからの無線パケットの受信、ＵＥ宛の無線パケットの送信を行なう。ＨＳＳは、ユーザ名やＵＥの位置情報などのユーザ情報を一元管理するデータベースを具備するサーバである。ＭＭＥ（管理装置）は、ＨＳＳと連携して、ＵＥの位置（モビリティ）を管理し、ベアラ管理、ＮＡＳ（Non-Access-Stratum）シグナリング等を行なうエンティティ（論理ノード）である。
【０１０７】
ＳＧＳＮは、GPRS（General Packet Radio Service）環境でUTRANやGERAN（Enhanced Data Rates for GSM Radio Access Network）等の無線アクセス網（より詳細には、その構成要素であるＲＮＣ）と接続するために提供されるノードである。ＳＧＳＮは、ＭＭＥと連携してＵＥの位置を把握し、ＵＥに対するセキュリティ機能およびアクセス制御を提供する。
【０１０８】
Ｓ−ＧＷ（パケット通信装置）は、E-UTRAN及びＳＧＳＮに対するインタフェースとなるエンティティであり、E-UTRANのｅＮＢとの間、および、ＳＧＳＮを介してUTRANやGERANのＲＮＣとの間でユーザパケットを送受信する。ＰＤＮ−ＧＷは、ＰＤＮ（Packet Data Network）との間のインタフェースを終端する関門（ゲートウェイ）ノードである。ＰＤＮとしては、インターネットや、オペレータ内のネットワーク、プライベートパケットデータネットワーク、オペレータ間のパケットデータネットワーク（ＩＭＳ（IP Multimedia Subsystem）サービスやＰＳＳ（Packet-switched Streaming Service）提供用等）等が挙げられる。なお、ＰＤＮ−ＧＷは、Ｓ−ＧＷと統合されて単一のノードとして提供される場合もある。
【０１０９】
ＰＣＲＦは、ＣＳＣＦ（Call Session Control Function）と呼ばれる、ＩＭＳでのセッション（ベアラ）を管理、制御するエンティティ（論理ノード）からの要求に応じて、ベアラのＱｏＳ（Quality of Service）等の各種ポリシや課金を管理、制御するエンティティ（論理ノード）である。ＣＳＣＦは、例えば、前記ＰＤＮの構成要素であるＩＭＳサーバ等のアプリケーションサーバの一機能として実現される。
【０１１０】
なお、図１６において、“LTE-Uu”、“S1-U”、“S1-MME”、“S3”、“S4”、“S5”、“S6a”、“S7”、“S11”、“S12”、“SGi”、“Rx+”等は、ノード（エンティティ）間（“S10”はＭＭＥ内）のインタフェース名を表す。
【０１１１】
“LTE-Uu”は、ＵＥ１０とｅＮＢ２０との間のインタフェース名、“S1-U”は、ｅＮＢとＳ−ＧＷとの間のインタフェース名、“S1-MME”は、ｅＮＢとＭＭＥとの間のインタフェース名、“S3”は、ＭＭＥとＳＧＳＮとの間のインタフェース名、“S4”は、ＳＧＳＮとＳ−ＧＷとの間のインタフェース名を表す。
【０１１２】
“S5”は、Ｓ−ＧＷとＰＤＮ−ＧＷとの間のインタフェース名、“S6a”は、ＭＭＥとＨＳＳとの間のインタフェース名、“S7”は、ＰＤＮ−ＧＷとＰＣＲＦとの間のインタフェース名、“S11”は、ＭＭＥとＳ−ＧＷとの間のインタフェース名、“S12”は、UTRANの構成要素との間のインタフェース名、“SGi”は、ＰＤＮ−ＧＷとＰＤＮ（ＣＳＣＦ）との間のインタフェース名、“Rx+”はＰＤＮ（ＣＳＣＦ）とＰＣＲＦとの間のインタフェース名を表す。
【０１１３】
図１７に、図１６の無線通信システム１００にとしてのＳＡＥアーキテクチャにおけるユーザプレーンのプロトコル構造の説明図を示す。図１７は、文献3GPP TS23.401 V9.1.0 のFigure 5.1.2.1-1に対応する図である。
【０１１４】
ユーザ端末ＵＥと基地局装置ｅＮＢとの間のプロトコルは、Ｌ１レイヤ（物理レイヤ）と、ＭＡＣ（Medium Access Control）レイヤと、ＲＬＣ（Radio Link Control）レイヤと、ＰＤＣＰ（Packet Data Convergence Protocol）レイヤを含む。また、ユーザ端末ＵＥとＰＤＮ−ＧＷの間のプロトコルはＩＰ（Internet Protocol）レイヤを含み、ユーザ端末ＵＥと通信相手のホスト装置との間のプロトコルは、アプリケーション（Ａｐｐｌｉｃａｔｉｏｎ）レイヤを含む。
【０１１５】
基地局装置ｅＮＢとＳ−ＧＷの間のプロトコルは、Ｌ１レイヤと、Ｌ２レイヤ（データリンクレイヤ）と、ＵＤＰ／ＩＰ（User Datagram Protocol/ Internet Protocol）レイヤと、ＧＴＰ−Ｕ（GPRS Tunnelling Protocol for the User Plane）レイヤを含む。Ｓ−ＧＷとＰＤＮ−ＧＷの間のプロトコルも同様である。
【０１１６】
図１８に、それぞれ図１６の無線通信システム１００にとしてのＳＡＥアーキテクチャにおける制御プレーンのプロトコル構造の説明図を示す。図１８は、文献3GPP TS23.401 V9.1.0 のFigure 5.1.1.3-1に対応する図である。
【０１１７】
ユーザ端末ＵＥと基地局装置ｅＮＢとの間のプロトコルは、Ｌ１レイヤと、ＭＡＣレイヤと、ＲＬＣレイヤと、ＰＤＣＰレイヤと、ＲＲＣ（Radio Resource Control）レイヤを含む。また、ユーザ端末ＵＥとＭＭＥとの間のプロトコルは、ＮＡＳ（Non-Access Stratum）レイヤを含む。基地局装置ｅＮＢとＭＭＥとの間のプロトコルは、Ｌ１レイヤと、Ｌ２レイヤと、ＩＰ（Internet Protocol）レイヤと、ＳＣＴＰ（Stream Control Transmission Protocol）レイヤと、Ｓ１−ＡＰ（S1 Application Protocol）を含む。
【０１１８】
図１９は、図１６の基地局装置ｅＮＢの構成例の説明図である。参照符号５０はＬ１処理部を示し、参照符号５１はＭＡＣ処理部を示し、参照符号５２はＲＬＣ処理部を示し、参照符号５３はＲＲＣ処理部を示し、参照符号５４はＩＰネットワーク物理インタフェース部を示す。参照符号５５はＩＰネットワーク上位レイヤ論理終端処理部を示し、参照符号５６は通信品質監視部を示し、参照符号５７は基地局間通信部を示し、参照符号５８はマルチチャネルアクセス制御部を示す。
【０１１９】
基地局装置ｅＮＢは、Ｌ１処理部５０と、ＭＡＣ処理部５１と、ＲＬＣ処理部５２と、ＲＲＣ処理部５３と、ＩＰネットワーク物理インタフェース部５４と、ＩＰネットワーク上位レイヤ論理終端処理部５５と、通信品質監視部５６を備える。さらに基地局装置ｅＮＢは、基地局間通信部５７と、マルチチャネルアクセス制御部５８を備える。
【０１２０】
Ｌ１処理部５０、ＭＡＣ処理部５１、ＲＬＣ処理部５２及びＲＲＣ処理部５３は、ユーザ端末ＵＥと基地局装置ｅＮＢとの間の、それぞれＬ１レイヤ、ＭＡＣレイヤ、ＲＬＣレイヤ及びＲＲＣレイヤに関する処理を行う。
【０１２１】
ＩＰネットワーク物理インタフェース部５４は、上位装置であるＭＭＥ、Ｓ−ＧＷ及びＰＤＮ−ＧＷと、基地局装置ｅＮＢと、の間でＩＰネットワークを経由して行われる通信のＬ１レイヤに関する処理を行う。ＩＰネットワーク上位レイヤ論理終端処理部５５は、ＭＭＥ、Ｓ−ＧＷ及びＰＤＮ−ＧＷと、基地局装置ｅＮＢとの間におけるＬ１レイヤより上位のプロトコルを終端し、有線ネットワークと無線ネットワークとの間のインタフェース処理を行う。
【０１２２】
通信品質監視部５６は、基地局装置ｅＮＢとユーザ端末ＵＥとの間の通信品質を監視する。例えば通信品質監視部５６は、ユーザ端末ＵＥから受信した電波や無線信号に従ってアップリンクにおける通信品質を測定する。また通信品質監視部５６は、ユーザ端末ＵＥにて測定されたダウンリンクにおける通信品質に関する情報を受信する。
【０１２３】
基地局間通信部５７は、隣接する基地局装置を含む他の基地局装置と基地局装置ｅＮＢとの間において、Ｘ２インタフェースを経由した通信処理を行う。”Ｘ２”はE-UTRAN内の基地局装置間におけるインタフェース名である。マルチチャネルアクセス制御部５８は、エッジ領域に位置するユーザ端末ＵＥへ対して複数の基地局装置からデータ送信を行うための処理を実行する。
【０１２４】
例えば、上述の実施例のベアラ設定部２０による処理は、ＲＲＣ処理部５３によって実行されてよい。また、ユーザデータ受信部２２による処理は、ＩＰネットワーク物理インタフェース部５４と、ＩＰネットワーク上位レイヤ論理終端処理部５５によって実行されてよい。
【０１２５】
また例えば、スケジューラ２３及び移動局特定部２５による処理は、ＭＡＣ処理部５１によって実行されてよい。例えば、第１スケジューリング情報通知部２４の処理は、ＭＡＣ処理部５１及びマルチチャネルアクセス制御部５８によって実行されてよい。また、制御情報通知部２６、第１スケジューリング情報受信部２７、制御情報受信部３０及び第１スケジューリング情報受信部３１による処理は、基地局間通信部５７及びマルチチャネルアクセス制御部５８によって実行されてよい。また、図３及び図４を参照して説明したベアラ特定情報送信部及びベアラ特定情報受信部による処理は、基地局間通信部５７及びマルチチャネルアクセス制御部５８によって実行されてよい。
【０１２６】
例えば、第１判定部４０、第２判定部４２及びサービスクラス割当部４３による処理は、マルチチャネルアクセス制御部５８によって実行されてよい。要求部４１、第２スケジューリング情報送信部４４及び第２スケジューリング情報受信部４５による処理は、基地局間通信部５７及びマルチチャネルアクセス制御部５８によって実行されてよい。
【０１２７】
図２０は、図１６の無線通信システム１００における処理例の説明図である。別な実施の態様においては、下記のオペレーションＧＡ〜ＧＭの各オペレーションはステップであってもよい。なお以下の説明では、隣接する２つの第１基地局装置ｅＮＢ１及び第２基地局装置ｅＮＢ２のそれぞれのエッジ領域の重複範囲に、ユーザ端末ＵＥが存在する場合を想定する。
【０１２８】
オペレーションＧＡ及びＧＢにおいてユーザ端末ＵＥは、第１基地局装置ｅＮＢ１及び第２基地局装置ｅＮＢ２からそれぞれ送信された同期用固有信号を受信する。オペレーションＧＣにおいてユーザ端末ＵＥは、受信した同期用固有信号の受信相関電力の強度に基づいてセル検出処理及びセル同期処理を実行する。本例においてユーザ端末ＵＥは、第１基地局装置ｅＮＢ１を、ユーザ端末ＵＥが存在するセルをカバーする基地局装置、すなわち接続対象の基地局装置として識別する。
【０１２９】
オペレーションＧＤ及びＧＥにおいてユーザ端末ＵＥ及び第１基地局装置ｅＮＢ１は、ランダムアクセス制御フローによって、ユーザ端末ＵＥと第１基地局装置ｅＮＢ１との間の接続処理を行う。接続処理が終了後、オペレーションＧＦ及びＧＧにおいてユーザ端末ＵＥは、第１基地局装置ｅＮＢ１に対するダウンリンクデータの送信要求と、ユーザ端末ＵＥにて測定したダウンリンクにおける通信品質を指示する通信品質情報を送信する。
【０１３０】
オペレーションＧＨにおいて第１基地局装置ｅＮＢ１のＬ１処理部５０及びＭＡＣ処理部５１は、ユーザ端末ＵＥや他のユーザ端末から受信した通信品質情報に基づき、ＦＦＲに従い各ユーザ端末に対する無線リソースの割り当て処理を行う。オペレーションＧＩにおいて第１基地局装置ｅＮＢ１及び第２基地局装置ｅＮＢ２は、第２基地局装置ｅＮＢ２からユーザ端末ＵＥへデータ送信を行うためのチャネルを設定するマルチチャネル設定処理を実行する。オペレーションＧＩにおいて行われる処理は、例えば図５を参照して説明したオペレーションＡＡ〜ＡＣ、並びに図８〜図１０及び図１２を参照して説明した処理であってよい。
【０１３１】
オペレーションＧＪにおいて第１基地局装置ｅＮＢ１及び第２基地局装置ｅＮＢ２は、第２基地局装置ｅＮＢ２からユーザ端末ＵＥへのデータ送信のための無線リソースのスケジューリングに関する処理を行う。オペレーションＧＪにおいて行われる処理は、例えば図５を参照して説明したオペレーションＡＤ〜ＡＦであってよい。オペレーションＧＪにおいて第１基地局装置ｅＮＢ１は、第１基地局装置ｅＮＢ１及び第２基地局装置ｅＮＢ２によって割り当てられた無線リソースのスケジューリング情報をユーザ端末ＵＥへ通知する。
【０１３２】
オペレーションＧＫ及びＧＬにおいて第１基地局装置ｅＮＢ１及び第２基地局装置ｅＮＢ２は、オペレーションＧＪにて予めユーザ端末ＵＥへ通知した無線リソースを用いて、ユーザデータをユーザ端末ＵＥへそれぞれ送信する。オペレーションＧＪにて通知されたスケジューリング情報を復調及び復号したユーザ端末ＵＥは、オペレーションＧＭにおいて、第１基地局装置ｅＮＢ１及び第２基地局装置ｅＮＢ２から送信されたユーザデータを受信する。以下、無線アクセスフレーム又はスクセススロットに同期した周期で、オペレーションＧＦ〜ＧＭを繰り返し実行する。
【０１３３】
本実施例によれば、ＬＴＥ及びＦＦＲが適用される無線通信システムにおいて、周波数再利用係数が「１」でないエッジ領域に位置するユーザ端末へデータを送信する際のスループットが向上できる。
【０１３４】
以上、例示として、図１〜図１５の実施例の無線通信システムをＬＴＥに適用した場合の実施例について説明した。同様に、図１〜図１５の実施例の無線通信システムを、IEEE（The Institute of Electrical and Electronics Engineers, Inc.） 802.16eに規定されるWiMAX（Worldwide Interoperability for Microwave Access）を採用する通信システムに適用してよい。このとき、上述のコアネットワークＣＮは、コネクティビティサービスネットワークにより実現されてよい。また上述の無線アクセスネットワークＲＮは、アクセスサービスネットワークにより実現されてよい。
【０１３５】
以上の実施例を含む実施形態に関し、更に以下の付記を開示する。
【０１３６】
（付記１）
第１基地局装置にカバーされる第１セルと該第１セルに隣接する第２セルとの間で無線リソースが分割利用されるエッジ領域に位置する移動局装置を特定する移動局特定部と、
前記移動局装置をコアネットワークへ接続するために前記第１基地局装置に保持される所定の接続制御情報を、前記第２セルをカバーする第２基地局装置へ通知する制御情報通知部と、
前記第２基地局装置から前記移動局装置へユーザデータを送信するために割り当てられた無線リソース情報を前記第２基地局装置から受信する第１情報受信部と、
前記第１基地局装置から前記移動局装置へユーザデータを送信するために割り当てられた無線リソース情報、及び前記第２基地局装置から受信した無線リソース情報を前記移動局装置へ通知する第１情報通知部と、
を備える、前記第１基地局装置としての基地局装置。
【０１３７】
（付記２）
前記第１基地局装置と前記移動局装置との間の通信品質と、前記第２基地局装置と前記移動局装置との間の通信品質との差が所定の第１閾値以下であるか否かに応じて、前記第２基地局装置から前記移動局装置へユーザデータを送信するか否かを判定する第１判定部と、
前記第１判定部の判定結果に従って、前記移動局装置へユーザデータを送信することを前記第２基地局装置へ要求する要求部と、
を備える付記１に記載の基地局装置。
【０１３８】
（付記３）
前記第１判定部は、前記第１基地局装置と前記移動局装置との間の通信品質と、前記第２基地局装置と前記移動局装置との間の通信品質との差が前記所定の第１閾値以下であり、かつ前記第１基地局装置と前記移動局装置との間の通信品質が所定の第２閾値以下であるか否かに応じて、前記第２基地局装置から移動局装置へユーザデータを送信するか否かを判定する付記２に記載の基地局装置。
【０１３９】
（付記４）
前記移動局装置へ送信される下りリンクのユーザデータが、複数のサービスクラスに属するデータを含むか否かを判定する第２判定部と、
前記下りリンクのユーザデータが複数のサービスクラスに属するデータを含むとき、前記第２基地局装置から送信するユーザデータのサービスクラスとして、前記第１基地局装置から送信するユーザデータのサービスクラスと異なるサービスクラスを割り当てるサービスクラス割当部と、
を備える付記１〜３のいずれか一項に記載の基地局装置。
【０１４０】
（付記５）
前記サービスクラス割当部は、前記第１基地局装置と前記移動局装置との間の通信品質と、前記第２基地局装置と前記移動局装置との間の通信品質とに基づいて、前記第２基地局装置から送信するユーザデータのサービスクラスを割り当てる付記４に記載の基地局装置。
【０１４１】
（付記６）
付記１〜５のいずれか一項に記載の基地局装置としての前記第１基地局装置によりカバーされる前記第１セルに隣接する前記第２セルをカバーする前記第２基地局装置としての基地局装置であって、
前記所定の接続制御情報を受信する制御情報受信部と、
前記所定の接続制御情報によって前記移動局装置を前記コアネットワークへ接続することにより取得されるユーザデータを前記移動局装置へ送信する無線リソースを決定するスケジューラと、
前記スケジューラにより割り当てられた無線リソース情報を前記第１基地局装置へ送信する情報送信部と、を備える基地局装置。
【０１４２】
（付記７）
前記第１基地局装置から前記移動局装置へユーザデータを送信する無線リソース情報を前記第１基地局装置から受信する第２情報受信部と、
前記第１基地局装置から受信した無線リソース情報、及び前記第２基地局装置から前記移動局装置へユーザデータを送信する無線リソース情報を、前記移動局装置へ通知する第２情報通知部と、
を備える付記６に記載の基地局装置。
【０１４３】
（付記８）
前記第１基地局装置と前記移動局装置との間の通信品質が、前記第２基地局装置と前記移動局装置との間の通信品質よりも低いとき、前記第２情報通知部は、前記無線リソース情報を前記移動局装置へ通知する付記７に記載の基地局装置。
【０１４４】
（付記９）
第１基地局装置にカバーされる第１セルと該第１セルに隣接する第２セルとの間で無線リソースが分割利用されるエッジ領域に位置する移動局装置を特定し、
前記移動局装置をコアネットワークへ接続するために前記第１基地局装置に保持される所定の接続制御情報を、前記第１基地局装置から、前記第２セルをカバーする第２基地局装置へ通知し、
前記第２基地局装置から前記移動局装置へユーザデータを送信するために割り当てられた無線リソース情報を、前記第２基地局装置から前記第１基地局装置へ送信し、
前記第１基地局装置から前記移動局装置へユーザデータを送信するために割り当てた無線リソース情報、及び前記第２基地局装置から受信した無線リソース情報を、前記第１基地局装置から前記移動局装置へ通知する通信方法。
【符号の説明】
【０１４５】
１    無線通信システム
ＢＳ１〜ＢＳ３    基地局装置
ＣＣ１〜ＣＣ３    センタ領域
ＣＮ    コアネットワーク
Ｃ１〜Ｃ３    セル
Ｅ１〜Ｅ３    エッジ領域
ＭＳ１〜ＭＳ４    移動局装置
ＮＤ    ノード装置
ＲＮ    無線アクセスネットワーク
１０    伝送路インタフェース
１１    ベースバンド信号処理部
１２    無線送受信部
１３    無線通信アンテナ
２０    ベアラ設定部
２１    制御情報記憶部
２２    ユーザデータ受信部
２３    スケジューラ
２４    第１スケジューリング情報通知部
２５    移動局特定部
２６    制御情報通知部
２７    第１スケジューリング情報受信部
【図１】
2011049987.tif 000003
【図２】
2011049987.tif 000004
【図３】
2011049987.tif 000005
【図４】
2011049987.tif 000006
【図５】
2011049987.tif 000007
【図６】
2011049987.tif 000008
【図７】
2011049987.tif 000009
【図８】
2011049987.tif 000010
【図９】
2011049987.tif 000011
【図１０】
2011049987.tif 000012
【図１１】
2011049987.tif 000013
【図１２】
2011049987.tif 000014
【図１３】
2011049987.tif 000015
【図１４】
2011049987.tif 000016
【図１５】
2011049987.tif 000017
【図１６】
2011049987.tif 000018
【図１７】
2011049987.tif 000019
【図１８】
2011049987.tif 000020
【図１９】
2011049987.tif 000021
【図２０】
2011049987.tif 000022